(57)【要約】【課題】本考案は包装容器の陳列用ホルダーに関し、缶等の包装容器の陳列操作がワンタッチ操作により迅速かつ確実に行え、包装容器が不用意に脱落し、破損ぜずに保持が行え、しかも、ガタツキ音を生ずることなく、また、保持部個所が正面に露呈せずに包装容器の外周の表示内容を適格に知るように陳列する。【解決手段】陳列ホルダーが、金属線条材３の折曲げによるか、または合成樹脂可塑物により形成されたホルダー本体４を有し、且つ、該ホルダー本体４が、略平行な縦杆部５と、商品陳列棚２の前部構成部材２ａに取付可能に縦杆部５に設けた取付手段６と、縦杆部５の下部前方に突設され、包装容器１の底部１ａに係脱可能に形成される下部係止部７と、縦杆部の上方前方に突設され、包装容器１の上部１ｂに係脱可能に形成される上部係止部８と、を有する。【選択図】図１
0003107484.tif 000002
【実用新案登録請求の範囲】
【請求項１】
ビール、発泡酒、清酒、ワイン、洋酒、清涼飲料、飲料水等の内容液を収容する包装容器を起立して保持し、商品陳列棚等に取付けて陳列する包装容器の陳列用ホルダーにおいて、
（イ）前記陳列用ホルダーが、金属線条材の折曲げによって形成されるか、または合成樹脂可塑物により形成されたホルダー本体を有し、且つ、
（ロ）該ホルダー本体が、略平行に縦長に配置される縦杆部と、前記商品陳列棚の前部構成部材に取付可能に前記縦杆部に設けられた取付手段と、前記縦杆部の下部前方に突設され、前記包装容器の底部に係脱可能に形成される下部係止部と、前記縦杆部の上方前方に突設され、前記包装容器の上面部に係脱可能に形成される上部係止部と、
を有することを特徴とする包装容器の陳列用ホルダー。
【請求項２】
前記陳列用ホルダーが、前記包装容器として缶を陳列するための陳列ホルダーであって、前記下部係止部が、該缶の底部に同心円的に形成した小径な円周突縁部を横切るように前記底部に係脱可能に形成されると共に、前記上部係止部が、該缶の上面部に形成された捲締上縁部を横切るように前記缶の上面部に係脱可能に形成されていることを特徴とする請求項１に記載の包装容器の陳列用ホルダー。
【請求項３】
前記陳列用ホルダーが、前記包装容器として瓶を陳列するための陳列ホルダーであって、前記下部係止部が、該瓶の底部に同心円的に形成される小径な円周突縁部を横切るように前記底部に係脱可能に形成されると共に、前記上部係止部が、該瓶の口部に被冠した王冠または栓に係脱可能に形成されることを特徴とする請求項１に記載の包装容器の陳列用ホルダー。
【請求項４】
前記上部係止部が、前記縦杆部に対して側面略直角に形成されると共に、前記下部係止部が、前記縦杆部に対して前記上部係止部よりも側面鋭角に形成されていることを特徴とする請求項１〜３のいずれか１項に記載の包装容器の陳列用ホルダー。
【請求項５】
前記上部係止部の下方部には前記縦杆部の前面に瓶の首部または瓶の胴部を保持する保持杆部が略平行に突設されたことを特徴とする請求項１,３,４のいずれか１項に記載の包装容器の陳列用ホルダー。
【請求項６】
前記取付手段が、商品陳列棚の前部構成部材等に吊下げ可能に前記縦杆部の背面上方に取付高さを違えて形成された１対の吊下杆と、該吊下杆から直角に下方へ折曲される平行な垂下杆部と、該垂下杆部間を連結する連結杆とから形成されることを特徴とする請求項１〜５のいずれか１項に記載の包装容器の陳列用ホルダー。
【考案の詳細な説明】
【技術分野】
【０００１】
本考案は包装容器の陳列用ホルダーに関し、例えばビール、発泡酒、清酒、ワイン、洋酒、清涼飲料、飲料水等の内容液を収納し、種類、品質、産地、製造年月日、生産者、容量、商品名等を外周に表示する缶、瓶等の包装容器を保持して商品陳列棚等に取付けることにより商品を陳列し、商品紹介や宣伝に役立てるものである。
【背景技術】
【０００２】
従来、例えば、ワイン、洋酒、清酒、ビール、清涼飲料等の内容液を収納する瓶（ボトル）を起立して保持し、多数の商品を陳列する商品陳列棚（収納ラック）の前面に取付けて個別に陳列するための酒類等のボトル陳列用ホルダーとして商品陳列棚に装着する取付バーと、該取付バーの下部に固定され、商品の内容を示す表示ラベルが周面に貼着された瓶をそのラベルが表見可能に起立して支持する持出枠としての受台と、この受台の上方に位置して前記取付バーに装着され、前記受台上の瓶を上部において囲繞可能になす保持リングとよりなる酒類等のボトル陳列用ホルダーがあった（例えば、特許文献１参照）。
【特許文献１】実用新案登録第３０５３０１５号公報
【考案の開示】
【考案が解決しようとする課題】
【０００３】
しかしながら、特許文献１に記載の上記従来の酒類等のボトル陳列用ホルダーは、受台上に瓶を起立して保持するのに、取付バーの上方部に枢着した保持リングを上向きに揺動させることにより、瓶の首を下方から保持リング内に通して囲繞し、次いで、瓶をさらに持ち上げて瓶の底部を受台上に載せて陳列するので、瓶の陳列操作には多く手順を必要とするため、多くの時間と手間がかかり、簡単な取扱い操作により容易かつ迅速には行えなかった。
【０００４】
また、特許文献１に記載の上記従来の酒類等のボトル陳列用ホルダーは、瓶と保持リングとのサイズや陳列スペース等の理由から保持リングの下方から瓶の首を通す上記方法を採用できない時には、受台上に瓶を起立して保持する他の方法として、先ず取付バーに装着した連結スリーブから保持リングを取外す。次いで、この保持リングを上方から瓶に被嵌した状態で瓶を受台上に載置する。その後、保持リングを取付バーの連結スリーブに後付けることにより陳列を行うものである。そのため、この方法は、取付バーに対して保持リングを取外したり、取付けたりしなければならならず、前記陳列方法と同様に多くの時間と手間がかかり、容易かつ迅速に陳列が行えないものであった。
【０００５】
また、特許文献１に記載の上記従来の酒類等のボトル陳列用ホルダーは、瓶は下面が受台により載置されるとともに瓶の首部が保持リング内に挿入されて囲繞されることにより瓶は保持されるので、例えば陳列棚に対して商品としての瓶を出し入れする時に、この瓶が前述のような取扱い操作により陳列用ホルダーにて陳列棚の前面に既に保持されている瓶に不用意に衝突する等の外力が作用した場合には、陳列されている瓶が不用意に脱落し、破損する等して危険であった。
【０００６】
しかも、ボトル陳列用ホルダーにより瓶を保持するのには前述のように保持リングにより瓶の首部を囲繞し、受台に瓶の下面を載置しているので、これらの保持リングおよび受台は、看者をして正面から露呈するため、外観的にスマートではなく、不体裁になっていた。
【０００７】
また、上記従来の酒類等のボトル陳列用ホルダーは、取付バーと、受台と、保持リングとは何れも異なる成形材料により成形されるので、製作には多くの手間と時間がかかり、組立が容易には行えず、製作コストおよび資材費は高価になっていた。
【０００８】
また、包装容器が缶である場合には、缶は外形が略円筒形に形成され、瓶のように胴部よりも細い首部もないので、保持リングにより胴部を囲繞した場合には、缶の外周に表示される表示内容を隠すことになるため、表示内容を適格に把握することができないばかりか、しかも、保持リングおよび受台は、看者をして正面から露呈するため、外観的なスマートさに欠け、不体裁になっていた。
【０００９】
本考案は上記従来の欠点を解決し、包装容器の陳列操作がワンタッチ操作により迅速かつ確実に行え、また、何らの外力を受けた場合にも包装容器が不用意に脱落し、破損することなく堅牢にかつ確実に保持が行え、安全であり、しかも、地震等の振動が包装容器に加わった場合にガタツキ音を生ずることなく、また、保持部個所が正面に露呈せずに外観的にスマートであるとともに包装容器の外周部分に表示された表示内容が隠されずに看者をして表示内容を適格に知ることができ、さらには、製作コストおよび資材費が安価な包装容器の陳列用ホルダーを提供することを目的とする。
【課題を解決するための手段】
【００１０】
本考案は上記課題に鑑みなされ、請求項１に記載の考案は、
ビール、発泡酒、清酒、ワイン、洋酒、清涼飲料、飲料水等の内容液を収容する包装容器を起立して保持し、商品陳列棚等に取付けて陳列する包装容器の陳列用ホルダーにおいて、
（イ）前記陳列用ホルダーが、金属線条材の折曲げによって形成されるか、または合成樹脂可塑物により形成されたホルダー本体を有し、且つ、
（ロ）該ホルダー本体が、略平行に縦長に配置される縦杆部と、前記商品陳列棚の前部構成部材に取付可能に前記縦杆部に設けられた取付手段と、前記縦杆部の下部前方に突設され、前記包装容器の底部に係脱可能に形成される下部係止部と、前記縦杆部の上方前方に突設され、前記包装容器の上面部に係脱可能に形成される上部係止部と、
を有することを特徴とする。
【００１１】
また、本考案の請求項２に記載の考案は、請求項１において、前記陳列用ホルダーが、前記包装容器として缶を陳列するための陳列ホルダーであって、前記下部係止部が、該缶の底部に同心円的に形成した小径な円周突縁部を横切るように前記底部に係脱可能に形成されると共に、前記上部係止部が、該缶の上面部に形成された捲締上縁部を横切るように前記缶の上面部に係脱可能に形成されていることを特徴とする。
【００１２】
また、本考案の請求項３に記載の考案は、請求項１において、前記陳列用ホルダーが、前記包装容器として瓶を陳列するための陳列ホルダーであって、前記下部係止部が瓶の底部に同心円的に形成される小径な円周突縁部を横切るように前記底部に係脱可能に形成され、前記上部係止部が瓶の口部に被冠した王冠または栓に係脱可能に形成されることを特徴とする。
【００１３】
また、本考案の請求項４に記載の考案は、請求項１〜３のいずれか１項において、前記上部係止部が、前記縦杆部に対して側面略直角に形成されると共に、前記下部係止部が、前記縦杆部に対して前記上部係止部よりも側面鋭角に形成されていることを特徴とする。
【００１４】
また、本考案の請求項５に記載の考案は、請求項１,３,４のいずれか１項において、前記上部係止部の下方部には前記縦杆部の前面に瓶の首部または瓶の胴部を保持する保持杆部が略平行に突設されたことを特徴とする。
【００１５】
また、本考案の請求項６に記載の考案は、請求項１〜５のいずれか１項において、前記取付手段が、商品陳列棚の前部構成部材等に吊下げ可能に前記縦杆部の背面上方に取付高さを違えて形成された１対の吊下杆と、該吊下杆から直角に下方へ折曲される平行な垂下杆部と、該垂下杆部間を連結する連結杆とから形成されることを特徴とする。
【考案の効果】
【００１６】
本考案は、包装容器の陳列操作がワンタッチ操作により迅速かつ確実に行え、また、何らの外力を受けた場合にも包装容器が不用意に脱落し、破損することなく堅牢にかつ確実に保持が行え、安全であり、しかも、地震等の振動が瓶に加わった場合にガタツキ音を生ずることなく、また、保持部個所が正面に露呈せずに外観的にスマートであるとともに包装容器の外周部分に表示された表示内容が隠されずに看者をして表示内容を適格に知ることができ、さらには、製作コストおよび資材費が安価になる。
【考案を実施するための最良の形態】
【００１７】
以下、図面に従って本考案の実施の最良の形態により、本考案の詳細を説明する。
【００１８】
図１は本考案の包装容器の陳列用ホルダーの実施形態１を示し、缶を保持した状態の拡大正面図、図２は同じく拡大背面図、図３は同じく拡大側面図、図４は同じく拡大平面図、図５は同じく拡大底面図、図６は使用状態の一例を示す正面図、図７は同じく断面図である。
【００１９】
この実施形態１は、ビール、発泡酒、清酒、ワイン、洋酒、清涼飲料、飲料水、各種茶、コーヒー等の内容液を収容する包装容器１を起立して保持し、商品陳列棚２等に取付けて陳列する包装容器の陳列用ホルダーである点は例えば特許文献１に記載の陳列用ホルダーと同様の構成、作用である。
【００２０】
しかしながら、本実施形態１では、前記陳列用ホルダーが、金属線条材の折曲げによって形成されるか、または合成樹脂可塑物により形成されたホルダー本体４を有し、且つ、該ホルダー本体４が、略平行に縦長に配置される縦杆部５,５と、商品陳列棚２の前部構成部材２ａに取付可能に前記縦杆部５,５に設けられた取付手段６と、前記縦杆部５,５の下部前方に突設され、前記包装容器１の底部１ａに係脱可能に形成される下部係止部７と、前記縦杆部５,５の上方前方に突設され、前記包装容器１の上面部１ｂに係脱可能に形成される上部係止部８,８と、を有することを特徴とする。
【００２１】
この際、本実施形態１に用いられる金属線条材としては、例えば鋼線、ステンレス線、アルミ合金線等がある。また、合成樹脂可塑物としては、例えばポリエステル、ポリ塩化ビニリデン、ポリアセタール、ポリカーボネート、ＡＢＳ樹脂、ポリフェニレンエーテル、ポリフェニレンスルフィド等の高剛性を発揮し、強度が高いものが最適に用いられるが、これらの合成樹脂可塑物は代表的な例示であり、これに制限されるものではない。
【００２２】
本実施形態１では図１ないし図７に示すように、前記陳列用ホルダーが、前記包装容器１として缶Ｃを陳列するための陳列ホルダーであって、ホルダー本体４の前記下部係止部７が、該缶Ｃの底部１ａに同心円的に形成した小径な円周突縁部９を横切るように前記底部１ａに係脱可能に形成され（図５参照）ると共に、また、前記上部係止部８が、該缶Ｃの上面に形成された捲締上縁部１０を横切るように前記缶Ｃの上面に係脱可能に形成されている（図４参照）。
【００２３】
本実施形態１では、缶Ｃは内容液の容量が３５０ｍｌである場合を図示しているが、缶Ｃは図示するものに限ることなく、容量が５００ｍｌ、さらには５００ｍｌ以上、または３５０ｍｌ以下の容量の缶Ｃを保持する場合でも本考案の包装容器の陳列用ホルダーは適用可能である。
【００２４】
前記ホルダー本体４は、本実施形態１では、図示するように１本の金属線条材３を正面略コ字状に折曲加工されるか、または合成樹脂可塑物により形成される上方縦杆部５Ａと、同様に１本の金属線条材３を正面略コ字状に折曲加工するか、または合成樹脂可塑物により形成される下方縦杆部５Ｂとを上下対向して継ぎ合わせた重ね合わせ部分を金属線条材により形成される場合には溶接するか、または、または合成樹脂可塑物により形成する場合には一体形成することにより前記縦杆部５,５が形成される。
【００２５】
このうち、前記上方縦杆部５Ａの設置幅Ｗは、この実施形態１では小幅の３．７ｍｍ程度であり、また下方縦杆部５Ｂの設置幅Ｗ′は、この実施形態１では大幅の４．２ｍｍ程度である。また、縦杆部５,５の全体的な高さＨ１は本実施形態１では１２８ｍｍ程度に形成され、缶Ｃの高さＨよりも長く形成される。
【００２６】
上記のように、縦杆部５,５の最大幅、すなわち下方縦杆部５Ｂ,５Ｂの設置幅Ｗ′が缶Ｃの直径φよりも短い４．２ｍｍであるので、ホルダー本体４に缶Ｃを保持させた状態で正面から購買者等の看者が見ると、缶Ｃの背後にホルダー本体４が隠れた状態でホルダー本体４は缶Ｃを保持するため、看者が正面および側面から看た場合に、缶Ｃ全体が正面に露見することになる。従って、外観的にスマートであり、体裁良く缶Ｃをホルダー本体４により保持できるとともに缶Ｃの外周に表示された内容液の種類、品質、産地、製造年月日、生産者、容量、商品名等の表示内容Ｎがホルダー本体４により隠されることなく、適格に把握するようになる。
【００２７】
また、ホルダー本体４は図示するものに限ることなく、例えば上方縦杆部５Ａが幅広をなし、下方縦杆部５Ｂが幅狭に形成され、両者を上下対向して金属線条材３にて形成されている場合には継ぎ合わせて継ぎ合わせ部分を溶接することにより形成しても良いし、また上方縦杆部５Ａおよび下方縦杆部５Ｂが合成樹脂可塑物にて形成される場合には継ぎ合わせ個所を一体形成する等して形成しても良いし、また他の変形例として１本の金属線条材を折曲加工したり、合成樹脂可塑物によりホルダー本体４の縦杆部５,５を全体的に同幅に形成するようにしてもよい。
【００２８】
前記上部係止部８は図３に示すように前記縦杆部５,５に対して側面略直角に形成され、前記下部係止部７は前記縦杆部５,５に対して前記上部係止部８よりも側面鋭角αに形成される。この鋭角αとは８０°〜６０°が缶Ｃの底部１ａをばね性を充分に発揮し、確実に保持するために好適である。
【００２９】
このように、前記縦杆部５,５に対して上部係止部８が側面略直角に形成され、また前記下部係止部７が前記縦杆部５,５に対して前記上部係止部８よりも側面鋭角αになるように形成したのは、缶Ｃをホルダー本体４により保持する場合に、先ず、缶Ｃの上面を側面略直角の上部係止部８の下面に差し込むようにして係止し、次いで、前記縦杆部５,５に対して前記上部係止部８よりも側面鋭角αに形成された下部係止部７に対して缶Ｃの下方部側を回動して押込んだ場合に、下部係止部７がばね力を発揮して包装容器１としての缶Ｃの底部１ａに弾性的に係止されることにより、ホルダー本体４の縦杆部５,５の下部前方に突設した下部係止部７と、縦杆部５,５の上方前方に突設した上部係止部８とにより缶Ｃの底部１ａおよび缶Ｃの上面部１ｂとの双方をワンタッチ操作により簡単かつ堅牢に係止して保持を確実なするためである。
【００３０】
前記取付手段６が、商品陳列棚２の前部構成部材２ａ等に吊下げ可能に前記縦杆部５,５の背面上方に取付高さｈ１,ｈ２を違えて形成された１対の吊下杆１１ａ,１１ａ′と、該吊下杆１１ａ,１１ａ′から直角に下方へ折曲される平行な垂下杆部１１ｂ,１１ｂ′と、該垂下杆部１１ｂ,１１ｂ′間を連結する連結杆１１ｃとから形成される。
【００３１】
本実施形態１では、前記吊下杆１１ａ, １１ａ′と、前記垂下杆部１１ｂ,１１ｂ′と、前記連結杆１１ｃとは、下方縦杆部５Ｂの上端に金属線条材を折曲加工するか、または合成樹脂可塑物により形成されることにより一体に形成されるが、これに限ることなく、前記吊下杆１１ａ, １１ａ′は下方縦杆部５Ｂとは別体に形成されてから、上方縦杆部５Ａ、または下方縦杆部５Ｂに溶接をするか、または接着剤を用いる等して取付けても良い。
【００３２】
前記吊下杆１１ａ, １１ａ′は、前記背面における設置角度θが水平基線Ｈ．Ｌに対して８０°程度を以て設置されるが、これに限ることなく、増減変更は自由に行える。
【００３３】
本実施形態１は以上の構成からなり、例えばビール、発泡酒、清酒、ワイン、洋酒、清涼飲料、飲料水、各種茶、コーヒー等の内容液を収容する多数の包装容器１・・・を既に整列的に収納している商品陳列棚２の前部構成部材２ａに包装容器１を起立して陳列するには、先ず缶Ｃの上面部１ｂを側面略直角の上部係止部８の下面に差し込むようにして係止する。
【００３４】
次いで、下部係止部７に対して缶Ｃの下方部側を回動することにより押込む。
この際、下部係止部７は、縦杆部５,５に対して側面鋭角αに形成されてばね力を発揮するので、缶Ｃの下部は下部係止部７のばね力に抗して押し込まれるため、下部係止部７は包装容器１としての缶Ｃの底部１ａに弾性的に係止される。
【００３５】
この結果、缶Ｃは、ホルダー本体４の縦杆部５,５の下部前方に突設した下部係止部７と、縦杆部５,５の上方前方に突設した上部係止部８とにより缶Ｃの底部１ａおよび缶Ｃの上面部１ｂとの双方が、缶Ｃをホルダー本体４に対して前方から押し込み操作するだけの簡単な取扱い操作によりワンタッチにて簡単かつ堅牢に係止され、保持される。
【００３６】
このようにしてホルダー本体４に保持された缶Ｃを商品陳列棚２に取付けて陳列するのには、本実施形態１の取付手段６は、商品陳列棚２の前部構成部材２ａ等に吊下げ可能にホルダー本体４の前記縦杆部５,５の背面上方に取付高さｈ１,ｈ２を違えて折曲、加工された１対の吊下杆１１ａ,１１ａ′と、該吊下杆１１ａ,１１ａ′から直角に下方へ折曲される平行な垂下杆部１１ｂ,１１ｂ′と、該垂下杆部１１ｂ,１１ｂ′間を連結する連結杆１１ｃとから形成されるので、この吊下杆１１ａ, １１ａ′を商品陳列棚２の前部構成部材２ａ等に吊下げることによりホルダー本体４に缶Ｃを起立した状態で保持し、陳列を行う。
【００３７】
この際、前記取付手段６の１対の吊下杆１１ａ, １１ａ′は、縦杆部５,５の背面上方に取付高さｈ１,ｈ２を違えて形成されることにより、背面における設置角度θが水平基線Ｈ．Ｌに対して例えば８０°程度を以て設置されるので、ホルダー本体４は商品陳列棚２の前部構成部材２ａに垂直軸線Ｉに対して設置角度θ分だけ傾いて取付けられる(図１,図６参照）。
【００３８】
従って、ホルダー本体４により保持される缶Ｃも垂直軸線Ｉに対して傾いた状態で起立され、陳列が行われるので、ホルダー本体４により保持されて陳列される缶Ｃは、背部の商品陳列棚２に陳列されている多数の缶Ｃ・・・に紛れることなく、個別性が発揮される。
【００３９】
また、本実施形態１では、吊下杆１１ａ, １１ａ′は、下方縦杆部５Ｂの上端に金属線条材３を折曲加工するか、または合成樹脂可塑物により一体に形成されるが、これに限ることなく、吊下杆１１ａ, １１ａ′は下方縦杆部５Ｂとは別体に形成され、その後に上方縦杆部５Ａ、または下方縦杆部５Ｂを金属線条材３で形成する場合には溶接により、また合成樹脂可塑物により形成される場合には接着剤を用いて取付けられても良い。
【００４０】
そして、ホルダー本体４の前記下部係止部７は、前述のように縦杆部５,５に対して側面鋭角αに形成されることにより缶Ｃの底部１ａに同心円的に形成した小径な円周突縁部９を横切るように円周突縁部９に２点で接触して前記底部１ａに安定に係止される（図５参照）。また、前記上部係止部８が缶Ｃの上面部１ｂに形成された捲締上縁部１０を横切り、該捲締上縁部１０に２点で接触して前記缶Ｃの上面に安定に係止される（図４参照）。
【００４１】
従って、前述のように商品陳列棚２の前部構成部材２ａに取付けられたホルダー本体４に保持されている缶Ｃに、陳列のために商品陳列棚２に入れられる缶Ｃ ・・・が衝突したり、商品陳列棚２に既に陳列されている缶Ｃ ・・・を外部へ取出す時に、その缶Ｃがホルダー本体４に保持されている缶Ｃに衝突する等の何らの外力を受けた場合に、ホルダー本体４に保持されている缶Ｃは不用意に脱落したり、凹むことなく、堅牢にかつ確実に保持が行え、安全である。
【００４２】
しかも、缶Ｃは、ホルダー本体４の縦杆部５,５の下部前方に突設した下部係止部７と、縦杆部５,５の上方前方に突設した上部係止部８とにより底部１ａおよび上面部１ｂとの双方がばね力により上下から係止されて弾性的に支持される。
【００４３】
また、前記ホルダー本体４は、本実施形態１では、図示するように１本の金属線条材３を正面略コ字状に折曲加工される上方縦杆部５Ａと、同様に１本の金属線条材３を正面略コ字状に折曲加工される下方縦杆部５Ｂとを上下対向して継ぎ合わせて重ね合わせ部分を溶接等するか、または上方縦杆部５Ａと下方縦杆部５Ｂとを合成樹脂可塑物を用いて縦杆部５,５が形成されるので、製作、組付に多くの手間および労力を要することなく、製作コストおよび資材費は安価になる。
【００４４】
そして、前記上方縦杆部５Ａの設置幅Ｗは、この実施形態１では小幅の３．７ｍｍ程度であり、また下方縦杆部５Ｂの設置幅Ｗ′は、この実施形態１では大幅の４．２ｍｍ程度であり、縦杆部５,５の最大幅、すなわち下方縦杆部５Ｂの設置幅Ｗ′が缶Ｃの直径φよりも短い４．２ｍｍであるので、ホルダー本体４に前述のように缶Ｃを保持させた場合に、図１に示すように正面から購買者等の看者が見ると、缶Ｃの背後にホルダー本体４が隠れた状態でホルダー本体４は缶Ｃを保持される。
【００４５】
従って、看者が正面および側面から看た場合に、図１、図６に示すように缶Ｃ全体が正面に露見することになり、外観的にスマートであり、不体裁良く缶Ｃをホルダー本体４に保持するようになるとともに缶Ｃの外周に表示された内容液の種類、品質、産地、製造年月日、生産者、容量、商品名等の表示内容Ｎがホルダー本体４により隠されることなく、表示内容Ｎを適格に把握することができる。
【００４６】
図８および図９は包装容器が瓶である場合に適用した本考案の実施形態２である。
【００４７】
この実施形態１は、前記陳列用ホルダーが、前記包装容器１として瓶Ｂを陳列するための陳列ホルダーであって、前記下部係止部７が瓶Ｂの底部１′ａに同心円的に形成される小径な円周突縁部９′を横切るように前記底部１′ａに係脱可能に形成され、前記上部係止部８が瓶Ｂの口部に被冠した王冠２０、または図には示さない栓に係脱可能に形成されることにより、ホルダー本体４により瓶Ｂを保持するのに適用される。
【００４８】
また、２１,２１は前記上部係止部８の下方部に前記縦杆部５,５の前面に略平行に突設された保持杆部であり、この保持杆部２１,２１は瓶Ｂの首部２２または瓶Ｂの胴部２３を保持するためのものである。２４は内容液の種類、品質、産地、製造年月日、生産者、容量、商品名等の表示内容を表示するラベルであり、このラベル２４は瓶Ｂの胴部２３に貼着される。
【００４９】
そして、本実施形態２では、内容液として例えばビール、発泡酒、清酒、ワイン、洋酒、清涼飲料、飲料水等の内容液を収容する多数の包装容器１・・・としての瓶Ｂ・・・をホルダー本体４により保持して陳列棚２の前部構成部材２ａに起立して陳列するには、先ず瓶Ｂの口部に被冠している王冠２０の上面部２０ａをホルダー本体４の縦杆部５,５の上端に形成されている側面略直角の上部係止部８の下面に差し込むようにして係止する。
【００５０】
次いで、下部係止部７に対して瓶Ｂの下方部側を回動することにより押込んで下部係止部７が瓶Ｂの底部１′ａに同心円的に形成される小径な円周突縁部９′を横切るように底部１′ａに係止する。
【００５１】
こうして、瓶Ｂの上面および下面をホルダー本体４の上端および下端に設けた上部係止部８と下部係止部７とで係止するとともに保持杆部２１,２１により瓶Ｂの首部２２または瓶Ｂの胴部２３を保持することにより、ホルダー本体４に瓶Ｂをワンタッチ操作により確実に保持するようにしたほかは、前記実施形態１と同様な構成、作用である。
【００５２】
図示する上記実施形態１および上記実施形態２では、ホルダー本体４は上方縦杆部５Ａが幅狭をなし、下方縦杆部５Ｂが幅広に形成され、両者が金属線条材により形成されている場合には、上下対向して継ぎ合わせて継ぎ合わせ部分を溶接するか、または上方縦杆部５Ａと、下方縦杆部５Ｂが合成樹脂可塑物により形成される等して形成しているが、ホルダー本体４は図示するものに限ることなく、例えば上方縦杆部５Ａが幅広をなし、下方縦杆部５Ｂが幅狭に形成され、両者を上下対向して継ぎ合わせ部分を溶接するか、または一体形成する等して形成しても良いし、また他の変形例としてホルダー本体４を全体的に同幅に形成するものも本考案の適用範囲である。
【００５３】
なお、上記説明において、陳列棚ホルダーを成形する場合に用いる合成樹脂可塑物として、例えばポリエステル、ポリ塩化ビニリデン、ポリアセタール、ポリカーボネート、ＡＢＳ樹脂、ポリフェニレンエーテル、ポリフェニレンスルフィド等の高剛性を発揮するものを用いたが、これは例示であり、高剛性を発揮し、強度が高い合成樹脂であれば、そのほかのものでもよい。
【産業上の利用可能性】
【００５４】
本考案は、包装容器の陳列操作がワンタッチ操作により迅速かつ確実に行え、また、何らの外力を受けた場合にも不用意に陳列した包装容器が脱落し、破損することなく堅牢にかつ確実に保持が行え、安全であり、しかも、地震等の振動が瓶に加わった場合にガタツキ音を生ずることなく、また、保持部個所が正面に露呈せずに外観的にスマートであるとともに包装容器の外周部分に表示された表示内容が隠されずに看者をして表示内容を適格に知ることができ、さらには、製作コストおよび資材費が安価になる用途・機能に適する。
【図面の簡単な説明】
【００５５】
【図１】図１は本考案の包装容器の陳列用ホルダーの実施形態１を示し、包装容器として缶を保持した状態の拡大正面図である。
【図２】図２は同じく拡大背面図である。
【図３】図３は同じく拡大側面図である。
【図４】図４は同じく拡大平面図である。
【図５】図５は同じく拡大底面図である。
【図６】図６は使用状態の一例を示す正面図である。
【図７】図７は同じく断面図である。
【図８】図８は本考案の包装容器の陳列用ホルダーの実施形態２を示し、包装容器として瓶を保持した状態の斜視図である。
【図９】図９は同じく使用状態を示す拡大断面図である。
【符号の説明】
【００５６】
１        包装容器
１ａ      底部
１′ａ    底部
１ｂ      上部
１′ｂ    上部
２        商品陳列棚
２ａ      前部構成部材
３        金属線条材
４        ホルダー本体
５        縦杆部
６        取付手段
７        下部係止部
８        上部係止部
９        円周突縁部
１０        捲締上縁部
２０        王冠
２１        保持杆部
２２        首部
２３        胴部
Ｂ        瓶
Ｃ        缶
【図１】
0003107484.tif 000003
【図２】
0003107484.tif 000004
【図３】
0003107484.tif 000005
【図４】
0003107484.tif 000006
【図５】
0003107484.tif 000007
【図６】
0003107484.tif 000008
【図７】
0003107484.tif 000009
【図８】
0003107484.tif 000010
【図９】
0003107484.tif 000011